(57)【特許請求の範囲】
【請求項１】
支持体と、
前記支持体の上方に配置され、前記支持体に対して回動自在に設けられ、上下方向に貫通する貫通孔を有し、内部が詰まっていることで光を透過させない複数の鍵と、
前記鍵に対応して設けられ、前記支持体に支持される発光手段と、
各々の前記貫通孔の鍵上面側の開口部にのみ配設され、前記発光手段の発する光を透過させることが可能な複数の光透過部材と、
入力される演奏情報に基づいて、各々の前記発光手段を制御する制御手段と
を具備することを特徴とする鍵盤楽器。
【請求項２】
前記発光手段は、前記貫通孔内に配置されていることを特徴とする請求項１に記載の鍵盤楽器。
【請求項３】
前記貫通孔の内面は、光を反射する反射面になされていることを特徴とする請求項１または２に記載の鍵盤楽器。
【請求項４】
前記光透過部材は、前記発光手段の発する光を上方に拡散させる光学体であることを特徴とする請求項１ないし３のいずれかに記載の鍵盤楽器。
【請求項５】
光透過部材は、前記貫通孔の鍵上面側の開口部において凹面が下方に向けられて配設された凹レンズであることを特徴とする請求項１ないし４のいずれかに記載の鍵盤楽器。
【請求項６】
前記貫通孔の開口部は、演奏者から見て鍵の手前側に向かって大きく開口されており、
光透過部材は、光ファイバが束ねられたものであり、各々の前記貫通孔において下方になるほど当該光ファイバの結束密度が大きくなるようにテーパー状に成形されていることを特徴とする請求項１ないし４のいずれかに記載の鍵盤楽器。
【発明の詳細な説明】
【０００１】
【発明の属する技術分野】
本発明は、演奏情報に基づいて鍵を発光させることができる鍵盤楽器に関する。
【０００２】
【従来の技術】
鍵盤楽器の演奏支援装置などにおいて、演奏者に次に押下すべき鍵を発光指示する機能が開発されている。このような発光機能を有する装置の一例として、鍵盤装置の筬側に発光体を設ける鍵盤装置が開発されている。この鍵盤装置では、鍵周囲を樹脂で成形し、内部に空隔を設けるとともに、鍵上面の一部を透明とすることによって、筬側に配設された発光体の発する光が鍵の透明部分を透過するようになっている。このように透過した光により演奏者への発光指示を行っている。
【０００３】
【発明が解決しようとする課題】
しかし、木製の鍵を有する鍵盤楽器では、鍵の一部を透明とすることができないため、上述のような構成では、鍵の発光指示を行うことができない。
そこで、鍵盤上に発光体を設けたり、ピアノ本体の鍵盤押さえ部分に発光体を設ける装置が用いられている。しかしながら、前者の装置は、可動部である鍵に発光体を設けるため、発光体へ給電するための構成が複雑になり、発光体への給電が面倒であるとともに、発光体が演奏操作を阻害するという問題があった。また、後者の装置は、鍵と発光体とが離間しているため、視認性に問題があった。
【０００４】
本発明は、上記の事情を考慮してなされたものであり、木製の鍵盤においても、鍵盤の下方にある支持体に支持される発光手段により、演奏情報に基づく鍵の発光を行うことができる鍵盤楽器を提供することを目的とする。
【０００５】
【課題を解決するための手段】
上記課題を解決するため、本発明の請求項１に記載の鍵盤楽器は、支持体と、前記支持体の上方に配置され、前記支持体に対して回動自在に設けられ、上下方向に貫通する貫通孔を有し、内部が詰まっていることで光を透過させない複数の鍵と、前記鍵に対応して設けられ、前記支持体に支持される発光手段と、各々の前記貫通孔の鍵上面側の開口部にのみ配設され、前記発光手段の発する光を透過させることが可能な複数の光透過部材と、入力される演奏情報に基づいて、各々の前記発光手段を制御する制御手段とを具備することを特徴とする。
【０００６】
上述した鍵盤楽器の構成によれば、支持体に支持された発光手段の発する光が貫通孔を通った後、光透過部材を透過して演奏者の視覚に認識される。これにより演奏情報に基づく鍵の発光を行うことができる。従って、可動部材である鍵への給電を行う必要がないため、配線構成を簡易とすることができるとともに、演奏操作の妨げとなることを低減できる。また、各鍵に設けられた光透過部材を透過した光が演奏者に視認されるため、発光手段の発する光と鍵との対応が分かりやすい。
【０００７】
また、請求項２に記載の発明は、請求項１に記載の鍵盤楽器において、前記発光手段は、前記貫通孔内に配置されていることを特徴とする。
この構成によれば、発光手段は貫通孔内に配置されている、すなわち鍵の上面により近い位置で発光することが可能であるため、大きな貫通孔を形成しなくても、発光手段の発する光が演奏者の視覚に認識されることになる。
【０００８】
また、請求項３に記載の鍵盤楽器は、請求項１または２に記載の鍵盤楽器において、前記貫通孔の内面は、光を反射する反射面になされていることを特徴とする。
請求項３に記載の構成によれば、発光手段の発する光が貫通孔内を反射し、鍵の上面により多くの光量の光が発せられることになる。
【０００９】
また、請求項４に記載の鍵盤楽器は、請求項１ないし３のいずれかに記載の鍵盤楽器において、前記光透過部材は、前記発光手段の発する光を上方に拡散させる光学体であることを特徴とする。
請求項４に記載の構成によれば、発光手段の発する光が光学体により上方に拡散されるため、鍵の発光を演奏者の視覚に対してよりはっきりと認識させることができる。
【００１２】
【発明の実施の形態】
以下、図面を参照して本発明の一実施形態について説明する。
Ａ．実施形態の構成
まず、図１は本発明の一実施形態に係るグランドピアノの鍵付近を示す側断面図である。同図において、符号１は棚板を示す。棚板１の上方には枠状の筬１２が載置されており、筬１２の上方には、鍵２が支持されている。鍵２としては、内部が密に詰まった木製のものが用いられ、その表面は、人工象牙等の樹脂で覆われている。鍵２は筬１２に突設されたバランスピン３を介して回動自在になされており、演奏者が図における左側である前端部を押し下げて演奏を行うようになっている。このような鍵２の複数が図の紙面垂直方向である左右方向に並設され、鍵盤が構成されている。
【００１３】
また、筬１２にはフロントピン１１が突設されており、これにより押鍵時における鍵２の横揺れが抑制される。また、筬１２の上方には鍵２と同数のハンマアクション機構（図示せず）が併設されており、鍵２が回動すると、対応するハンマアクション機構が作動し、図示せぬ弦を打弦して音を発生させるようになっている。
【００１４】
さて、図２は隣接する２つの鍵２の正面図である。図１および図２に示すように、鍵２には上下方向に貫通する貫通孔４が形成されている。貫通孔４には、高反射率を有する素材、例えばアルミ箔などを円筒状に形成したものがはめ込まれており、これにより貫通孔４の内面４ａは、後述する発光体５が発する光を反射する反射面となっている。
【００１５】
貫通孔４内には、発光体（発光手段）５がその周囲に適度な間隙を有する状態で配置されており、これにより鍵２が回動させられたときに、貫通孔４の内面４ａと発光体５とが接触することを防止している。発光体５としては、図示のように上下方向に細長く形成された電球、蛍光灯またはＬＥＤ（Light Emitting Diode）などを用いることができる。
【００１６】
図１に示すように、発光体５の下端には、剛的な支持部材６が取り付けられている。この支持部材６が棚板１の上面に取り付けられており、これにより発光体５が固定されている。なお、支持部材６を筬１２に取り付けて発光体５を固定してもよい。また、本実施形態においては、支持部材６は導電性を有する材質から形成されており、後述する電力供給回路から発光体５への電力の供給を行うこともできる。なお、支持部材６とは別に給電線を設けて、発光体５への電力の供給を行うようにしてもよい。
【００１７】
さて、貫通孔４の上側の開口部７には、凹レンズ（光透過部材）８が凹面を下側にして配設されている。この凹レンズ８により発光体５が発する光が鍵２の上方で拡散される。なお、凹レンズ８の代わりに平板状または柱状に形成されたガラスや透明な樹脂等の光を透過することができる部材を配設してもよい。また、この部材として、鍵２の表面の材質と同様の材質から形成されたものを用いるようにすれば、指触りが変化せず、好適である。
【００１８】
次に、発光体５の発光を制御する制御システムについて図３を用いて説明する。同図に示すように、この制御システムは、演奏情報読出部３１と、制御部（制御手段）３２と、電力供給回路（制御手段）３３とから構成されている。
【００１９】
演奏情報読出部３１は、フロッピーディスクやＣＤ−ＲＯＭ（コンパクトディスク−リードオンリメモリ）などの記憶媒体に記憶された演奏情報を時間経過にしたがって順次読み出し、制御部３２に出力する。制御部３２は、ＣＰＵと、ＣＰＵにおいて用いられるプログラムが記録されたＲＯＭ（リードオンリメモリ）と、ワーキングエリアとなるＲＡＭ（ランダムアクセスメモリ）とから構成されており、演奏情報読出部３１に読み出された演奏情報に基づいて電力供給回路３３に制御信号を出力するものである。電力供給回路３３は、制御部３２からの制御信号により発光体５に電流を供給するものである。
【００２０】
Ｂ．実施形態の動作
次に、このグランドピアノで鍵２の発光を行う場合の動作について説明する。まず、演奏情報読出部３１によりフロッピーディスク、ＣＤ−ＲＯＭまたはハードディスクなどの記憶媒体に記憶された演奏情報が順次読み出される。制御部３２は演奏情報読出部３１により読み出された演奏情報に基づいて、電力供給回路３３に順次制御信号を出力する。制御部３２からの制御信号が入力されると、電力供給回路３３は、演奏情報に応じた鍵２に対応する発光体５に電力を供給し、発光体５が発光する。
【００２１】
Ｃ．実施形態による効果
本実施形態では、上述のように発光体５により発せられた光は、凹レンズ８を透過して鍵２の上方に達し、演奏者に視認されることになる。従って、楽器本体側である棚板１に支持される発光体５によって鍵の発光を行うことができるので、可動部材である鍵２に配線を施す必要がない。これによって、発光体５への給電のための配線構成が簡易とすることができるとともに、演奏操作の妨げとなることを低減できる。また、各鍵２の上面に配設された凹レンズ８を透過した光が演奏者に視認されるため、発光体５の発する光と鍵２との対応が分かりやすい。
【００２２】
また、発光体５が貫通孔４内に配置されている、すなわち鍵２の上面により近い位置で発光することができるため、大きな貫通孔を形成しなくても、演奏者が視認することが可能な光量の光が鍵２の上方に達することになる。従って、フロントピンなどの他の構成要素と干渉するために大きな貫通孔を形成することができない木製の鍵盤にも適用することができる。
【００２３】
また、貫通孔４の内面がアルミ箔等で形成されているため、貫通孔４内で光が反射して凹レンズ８を透過する光の光量が多くなるため、演奏者の視認性が向上する。また、凹レンズ８により鍵２の上方で光が拡散するため、演奏者の視認性がさらに向上する。これらのことにより鍵２の上方に達する光量を増加させることができるため、小さいサイズの発光体５を用いても、演奏者に視認させることが可能となり、貫通孔のサイズを小さくすることもできる。
【００２４】
Ｄ．変形例
次に、上述の実施形態の変形例について図４および図５を用いて説明する。図４および図５に示すように、この変形例においては、鍵２に上下方向に貫通する貫通孔４１が形成されている。貫通孔４１は上側の開口部４２が図の左側である前方に大きく開口されている。この開口部４２に光学体（光透過部材）４３が配設されている。
【００２５】
図４に示すように、光学体４３は、光ファイバが束ねられ、図の下側になるほど光ファイバの結束密度が大きくなるように成形されてテーパー状になされたものである。光学体４３は、各光ファイバの下から入射した光を上方へ出射することにより発光体５から発せられた光を効率よく伝達し、鍵２の上方で拡散させることができる。このような光学体４３としては、例えば、浜松ホトニクス社製「テーパーファイバオプティクス」（商品名）を用いることができる。この構成によれば、上述の実施形態と同様の効果が得られ、また光を透過する光学体４３が前方に大きく形成されているため、演奏者の視認性がさらに向上する。
【００２６】
なお、本発明は上記のグランドピアノに限らず、アップライトピアノ、オルガン、電子鍵盤楽器等の全ての鍵盤楽器に適用することが可能である。
【００２７】
また、鍵を操作するソレノイドユニットを各鍵に対応して設け、演奏情報に対応する音階のソレノイドに通電し、プランジャを動かして自動演奏を行うことが可能な鍵盤楽器に適用することも可能である。そして、自動演奏を行うのと同時に、操作される鍵を発光させることにより、照明装飾機能をこの種の自動演奏装置に与えることができる。
【００２８】
また、図６に示すように、棚板１または筬１２の上面に押鍵センサ６１を各鍵２に対応して設けることもできる。押鍵センサ６１は、鍵２の位置を検出して、図３に示す制御部３２に位置信号を出力するものである。本発明においては、鍵２に大きな貫通孔を形成する必要がないため、図示の位置に押鍵センサ６１を取り付けることが可能である。
【００２９】
上述したような自動演奏可能な鍵盤楽器やソレノイドを用いて鍵に反力を与える電子鍵盤楽器などにおいては、押鍵センサ６１を設けることによって、ソレノイドへの給電量をより緻密に制御することが可能となる。従って、より緻密な自動演奏や鍵への反力付与を行うことが可能となる。
【００３０】
また、押鍵センサ６１から出力される位置信号により演奏情報に基づく鍵が押下されたか否かを図３に示す制御部３２が判断し、正しい鍵が押下された場合にのみ、次に押下すべき鍵の発光指示を行うようにすることもできる。
【００３１】
また、本発明は、鍵盤楽器と同様の鍵盤を備えていながらも、鍵を押したときの音を小さくしたり、鍵を押しても音が発生しないようにした鍵盤楽器の練習装置にも適用することができる。
【００３２】
【発明の効果】
以上説明したように、本発明によれば、木製の鍵盤を有する鍵盤楽器においても、鍵盤の下方にある支持体に支持される発光手段により、演奏情報に基づく鍵の発光を行い、演奏者にはっきりと、かつ指が触れる場所の直近で視認させることができる。
【図面の簡単な説明】
【図１】  本発明の一実施形態に係るグランドピアノの鍵付近を示す側断面図である。
【図２】  前記グランドピアノの鍵の正面図である。
【図３】  前記グランドピアノの構成を示すブロック図である。
【図４】  前記グランドピアノの変形例の鍵付近を示す側断面図である。
【図５】  図４に示すグランドピアノの鍵の正面図である。
【図６】  図１に示すグランドピアノに押鍵センサを配置した場合を示す図である。
【符号の説明】
１…棚板（支持体）、２…鍵、４…貫通孔、４ａ…内面（反射面）、５…発光体（発光手段）、６…支持部材、８…凹レンズ（光透過部材）、１２…筬、３１…演奏情報読出部、３２…制御部（制御手段）、３３…電力供給回路（制御手段）、４３…光学体（光透過部材）
【図１】
0003982029.tif 000002
【図２】
0003982029.tif 000003
【図３】
0003982029.tif 000004
【図４】
0003982029.tif 000005
【図５】
0003982029.tif 000006
【図６】
0003982029.tif 000007